(57)【要約】【課題】ケーブルを天井側の任意の位置から引き下ろすことができ、しかもオフィスに適用しても違和感のない天井配線構造を提供する。【解決手段】天井側のスラブ１１には、幹線ケーブルラック１３ａおよび支線ケーブルラック１３ｂで構成されるケーブル収納部材が吊り下げ支持されている。ケーブル収納部材の下方には、複数枚の天井パネル１８が架け替え可能に支持されている。各天井パネル１８のうち所望の天井パネル１８にはケーブル引き出し孔１９が形成されており、ケーブルトレイ１２およびケーブルラック１３によって天井側を引き回されたケーブル２０は、ケーブル引き下ろし孔１９を通して、天井パネル１８の下方の室内空間へ引き下ろされる。【選択図】  図１
2004229475.tif 000002
【特許請求の範囲】
【請求項１】
建物内の天井側に配設されたケーブルの天井配線構造において、
前記ケーブルを引き回すために前記天井側のスラブから吊り下げ支持されたケーブル収納部材と、
前記ケーブル収納部材の下方に架け替え可能に支持され、室内空間の天井面を形成する複数枚の天井パネルとを有し、
前記天井パネルの少なくとも１枚にケーブル引き下ろし孔が形成され、前記ケーブル収納部材から引き出されたケーブルが、前記ケーブル引き下ろし孔を通して前記室内空間へ引き下ろされていることを特徴とする天井配線構造。
【請求項２】
前記ケーブル引き下ろし孔が複数個形成され、複数個の前記ケーブル引き下ろし孔のうち、前記ケーブルが通されないケーブル引き下ろし孔はキャップ部材で塞がれている、請求項１に記載の天井配線構造。
【請求項３】
前記ケーブル引き下ろし孔には筒状の保護部材が装着されている、請求項１または２に記載の天井配線構造。
【請求項４】
前記ケーブル引き下ろし孔の上方に、前記ケーブルが前記天井パネルの前記ケーブル引き下ろし孔の周囲の部分に接触しないように前記ケーブル収納部材から引き出されたケーブルを案内するケーブルガイド部材を有する、請求項１ないし３のいずれか１項に記載の天井配線構造。
【請求項５】
前記ケーブル収納部材は格子状に配設されている、請求項１ないし４のいずれか１項に記載の天井配線構造。
【請求項６】
前記天井パネルは岩綿吸音板からなる、請求項１ないし５のいずれか１項に記載の天井配線構造。
【請求項７】
前記ケーブルは、電力供給用ケーブルおよび通信用ケーブルであり、前記電力供給用ケーブルと前記通信用ケーブルとはそれぞれ異なる引き回し経路で配線されている、請求項１ないし７のいずれか１項に記載の天井配線構造。
【請求項８】
ケーブルがケーブル収納部材で引き回されて天井側に配設されたフロア空間に架け替え可能に支持されて配設される天井パネルであって、
前記ケーブルを前記天井側から引き下ろすために前記ケーブルが挿入可能な少なくとも１つのケーブル引き下ろし孔が形成されている天井パネル。
【請求項９】
前記ケーブル引き下ろし孔を塞ぐキャップ部材が、前記ケーブル引き下ろし孔に着脱可能に設けられている、請求項８に記載の天井パネル。
【請求項１０】
前記キャップ部材は、前記ケーブル引き下ろし孔を塞ぐ塞ぎ部を有し、該塞ぎ部の平面形状は、前記ケーブル引き下ろし孔の横断面形状と異なっている、請求項９に記載の天井パネル。
【発明の詳細な説明】
【０００１】
【発明の属する技術分野】
本発明は、オフィスビルなどにおいて建物内の天井側からケーブルを引き回して機器への配線を行う天井配線構造に関する。
【０００２】
【従来の技術】
近年、オフィスのＯＡ化に伴い、オフィスではパーソナルコンピュータ、ワークステーション、プリンタなど様々な機器が用いられてきており、また、これらの機器のネットワーク化も進んでいる。このため、オフィス内には、機器への電力供給用のケーブルや、データ通信用のケーブルなど、種々のケーブルが存在している。これらの配線が露出したままであると、美観を損なうばかりでなく、足を引っ掛けて転倒するおそれがあり非常に危険である。そこで、オフィスにおいては、これらのケーブルを隠蔽するための種々の工夫がなされている。
【０００３】
従来、これらのケーブルを隠蔽するのに、床上げ方式、いわゆるＯＡフロアが一般に用いられている。ＯＡフロアは、裏面側にケーブルを通すことのできる構造を有するフロアパネルを床面上に敷き詰め、フロアパネルによってケーブルを隠蔽する方式である。
【０００４】
ところが、ＯＡフロアにおいては、オフィスのレイアウト変更などによってケーブルの引き回しにも変更が生じた場合、ケーブルの引き回しを変更するためには、フロアパネルを取り外さなければならない。しかも、取り外すフロアパネル上に机やキャビネットなどの事務用設備がある場合には、これらもフロアパネルの取り外し前に移動させる必要があり、作業効率が悪い。また、フロアパネル下でのケーブルの配線状況を一見して把握することができないので、場合によっては、全てのフロアパネルを取り外して配線状況を確認しなければならないこともある。このように、ＯＡフロアは、ケーブルの引き回しの変更に多大な労力およびコストを要する。
【０００５】
そこで、上述したようなＯＡフロアの問題点を解決する配線方式として、天井配線方式が提案され、また一部で実施されている。
【０００６】
天井配線方式は、ケーブルを天井側に引き回し、天井側から床側の所望の場所へ取り出す方式である。天井配線方式の一例として、例えば、特許文献１には、内部にケーブルを収納するケーブル収納部材を天井側に格子状に配設し、ケーブル収納部材に収納されたケーブルを所望の位置から引き下ろして配線するケーブル配線構造が開示されている。
【０００７】
【特許文献１】
特開２００１−６１２２０号公報
【０００８】
【発明が解決しようとする課題】
しかしながら、上述した特許文献１に開示された天井配線方式では、ケーブルはケーブル収納部材に収納され、そこから床側へ引き下ろされるので、ケーブル収納部材の配置によって、ケーブルを引き下ろすことのできる位置が制限されてしまう。さらに、ケーブル収納部材は室内空間に露出した状態で天井から吊り下げられることになるが、照明装置や空調設備の吸吹き出し口が配設されている天井にさらにこのような格子状の構造体を配設することは、雑多な印象を与え、オフィス内の構造としては不適当である。
【０００９】
したがって、ケーブル収納部材を利用した天井配線方式は、天井裏的雰囲気を意図した店舗や、室内の美観をあまり考慮しなくてもよい場合など、ごく限られた一部でしか実施されていないのが現状である。
【００１０】
そこで本発明は、ケーブルを天井側の任意の位置から引き下ろすことができ、しかもオフィスに適用しても違和感のない天井配線構造、およびこの天井配線構造に好適に用いられる天井パネルを提供することを目的とする。
【００１１】
【課題を解決するための手段】
上記目的を達成するため本発明の天井配線構造は、建物内の天井側に配設されたケーブルの天井配線構造において、
前記ケーブルを引き回すために前記天井側のスラブから吊り下げ支持されたケーブル収納部材と、
前記ケーブル収納部材の下方に架け替え可能に支持され、室内空間の天井面を形成する複数枚の天井パネルとを有し、
前記天井パネルの少なくとも１枚にケーブル引き下ろし孔が形成され、前記ケーブル収納部材から引き出されたケーブルが、前記ケーブル引き下ろし孔を通して前記室内空間内へ引き下ろされていることを特徴とする。
【００１２】
上記のとおり構成された本発明の天井配線構造では、天井側のスラブに吊り下げ支持されたケーブル収納部材を引き回されたケーブルは、天井パネルに形成されたケーブル引き下ろし孔を通して室内空間内に引き下ろされる。ケーブル引き下ろし孔を、ケーブルが接続される機器等のレイアウトに応じた位置に形成することにより、ケーブル収納部材によるケーブルの引き回し経路に拘らずケーブルを所望の位置からほぼ鉛直に引き下ろすことができるので、ケーブルが接続される機器等のレイアウト上の制限がなくなる。しかも、ケーブル収納部材は天井パネルによって隠されるので、この構造をオフィスに適用しても違和感はない。
【００１３】
レイアウト変更によりケーブルの引き下ろし位置が変わるなどして、ケーブル引き下ろし孔が新たに形成され、当初のケーブル引き下ろし孔が用いられなくなったような場合には、ケーブルが通されていないケーブル引き下ろし孔についてはキャップ部材で塞ぐのが、外観上好ましい。また、天井パネルのケーブル引き下ろし孔の周囲の部分の、ケーブルとの擦れによる損傷を防止するため、ケーブル引き下ろし孔に保護部材を装着し、あるいはケーブル収納部材から引き出されたケーブルを案内するケーブルガイド部材を有してもよい。さらに、天井パネルは、岩綿吸音板で構成することができる。これにより、現場での天井パネルへのケーブル引き下ろし孔の加工を容易に行える。
【００１４】
本発明の天井パネルは、ケーブルがケーブル収納部材で引き回されて天井側に配設されたフロア空間に架け替え可能に支持されて配設される天井パネルであって、
前記ケーブルを前記天井側から引き下ろすために前記ケーブルが挿入可能な少なくとも１つのケーブル引き下ろし孔が形成されている。
【００１５】
本発明の天井パネルには、ケーブル引き下ろし孔が形成されているので、この天井パネルを所望の位置に設置することにより、ケーブル収納部材によるケーブルの引き回し経路に拘らず、所望の位置からケーブルが引き下ろされる。しかも、天井パネルは、ケーブル収納部材を隠す働きも有する。
【００１６】
本発明の天井パネルにおいては、ケーブル引き下ろし孔を塞ぐキャップ部材がケーブル引き下ろし孔に着脱可能に設けられていてもよい。この場合、キャップ部材は、ケーブル引き下ろし孔を塞ぐ塞ぎ部を有し、この塞ぎ部の平面形状が、ケーブル引き下ろし孔の横断面形状と異なるものとすることで、デザイン上の変化に富む天井パネルとなる。
【００１７】
本明細書において、「フロア空間」とは、建物の構造体を構成するスラブによって区画された空間を意味する。また、「室内空間」とは、フロア空間に設置された天井パネルで区画されたフロア空間の、天井パネルより下側の空間を意味する。フロア空間の、天井パネルより上側の空間は、「スラブ下空間」という。
【００１８】
【発明の実施の形態】
次に、本発明の実施形態について図面を参照して説明する。
【００１９】
図１は、本発明の一実施形態による天井配線構造の部分断面斜視図である。また、図２は、図１に示す天井配線構造を天井側のスラブから見た平面図である。
【００２０】
図１および図２に示すように、建物のフロア空間における天井側のスラブ１１には、互いに間隔をあけて平行に配設された複数の幹線ケーブルラック１３ａ（図では１つのみ示す）が、支持ロッド１４ａを介して吊り下げられている。幹線ケーブルラック１３ａの下方には、複数の支線ケーブルラック１３ｂが支持されている。各支線ケーブルラック１３ｂは、幹線ケーブルラック１３ａと垂直に交わるように、互いに間隔をあけて配設され、スラブ１１から支持ロッド１４ｂを介して吊り下げられている。これら幹線ケーブルラック１３ａおよび支線ケーブルラック１３ｂは、それぞれ上面側が開口部となった樋状の部材であり、開口部の内部には、ケーブル２０が収納される。
【００２１】
すなわち、幹線ケーブルラック１３ａおよび支線ケーブルラック１３ｂによって、格子状に配設されスラブ１１から吊り下げ支持されたケーブル収納部材が構成される。ここでは、ケーブル収納部材が幹線ケーブルラック１３ａおよび支線ケーブルラック１３ｂによって格子状に配設された例を示したが、ケーブル収納部材の構成や配置などはこれに限られるものではなく、天井面のほぼ全域にわたってケーブル２０を引き回すことのできるようなものであれば、例えば、平行状、梯子状、櫛歯状など、任意の構成・配置を採用することができる。
【００２２】
支線ケーブルラック１３ｂの下方には、ロッド状の複数の天井下地材１２が、互いに間隔をあけて平行に配設され、スラブ１１から支持ロッド１４ｃを介して吊り下げられている。天井下地材１２の下方には、天井下地材１２に取付けられたグリップ１５によって、互いに平行に配設された複数のＴバー１７が支持されている。Ｔバー１７は、断面が逆Ｔ字形状の部材であり、その下端には互いに反対側に延びた水平延長部１７ａを有する。
【００２３】
天井パネル１８は、その両縁部を、互いに隣り合うＴバー１７の水平延長部１７ａ上に載せられて支持されており、取り外しおよび設置を自由に行うことができる。つまり、天井パネル１８は架け替え自在に設置されている。天井パネル１８は、架け替え自在であれば、このようにＴバー１７に支持される形態である必要はなく、例えば、ケーブル収納部材に直接または間接的に、ビスやスナップイン式のクリップ手段などによって架け替え自在に設置してもよい。
【００２４】
また、天井下地材１２の下方には、照明器具１６ａや空調設備の吹き出し口１６ｂなどを備えた設備プレート１６が固定されており、これら天井パネル１８および設備プレート１６によって、室内空間の天井面が構成される。スラブ１１と天井面との間には、ケーブル収納部材によりケーブル２０が引き回されているスラブ下空間１０が形成される。上述のように天井パネル１８を架け替え自在に設けることによって、任意の天井パネル１８を取り外して天井面に開口部を形成し、この開口部を介してスラブ下空間１０を覗き込み、スラブ下空間１０内のケーブル２０の引き回し状況を一望することができる。
【００２５】
天井面を構成する複数の天井パネル１８のうち、所望の天井パネル１８の所望の位置には、ケーブル引き下ろし孔１９が形成されている。ケーブル２０は、幹線ケーブルラック１３ａおよび支線ケーブルラック１３ｂを引き回され、このケーブル引き下ろし孔１９を通して天井パネル１８の下方に引き下ろされる。ケーブル引き下ろし孔１９は、ケーブル引き下ろし孔１９から引き下ろされるケーブル２０が接続される機器が設置される位置に応じて形成される。より詳しくは、ケーブル２０が機器に接続されたとき、ケーブル２０がほぼ鉛直に引き下ろされるような位置にケーブル引き下ろし孔１９が形成される。
【００２６】
ケーブル引き下ろし孔１９の直径は、ケーブル２０を通すことができる大きさであれば特に規定されないが、外観上の観点からは、ケーブル２０が通る範囲でできるだけ小さいほうが好ましい。ケーブル引き下ろし孔１９を通るケーブル２０は、その用途によって直径が異なっており、また、本数についても、１本に限られず、複数本のケーブル２０が通る場合もある。これらの点を考慮すれば、ケーブル引き下ろし孔１９の直径は、３０〜１００ｍｍとするのが好ましい。
【００２７】
このように、天井側のスラブ１１の下方でケーブル２０を引き回すための幹線ケーブルラック１３ａおよび支線ケーブルラック１３ｂの下方に天井パネル１８を配し、この天井パネル１８にケーブル引き下ろし孔１９を形成してここからケーブル２０を引き下ろすようにすることで、幹線ケーブルラック１３ａおよび支線ケーブルラック１３ｂによるケーブル２０の引き回し経路に拘らず、ケーブル２０が接続される機器を任意の位置に設置しても、ケーブル２０をほぼ鉛直に引き下ろすことができる。つまり、ケーブル収納部材がどのような形態であっても、ケーブル２０が接続される機器のレイアウトの制限を全くなくすることができる。また、ケーブル２０を鉛直に引き下ろすことによって、室内空間において、見栄えが悪くならず、しかもスペース効率のよい配線が達成される。さらに、幹線ケーブルラック１３ａおよび支線ケーブルラック１３ｂは天井パネル１８によって隠されるので、上述の構造をオフィスに適用しても、オフィスの雰囲気が損なわれることはない。
【００２８】
天井側からのケーブル２０の配線は、ケーブル２０を直接下ろして行ったり、ワイヤリングポストを通して行ったり、あるいはその他の任意の方法で行うことができる。以下に、ワイヤリングポストを通して配線する場合の一例を、図３を参照して説明する。
【００２９】
図３において、対面式のデスク２５は、その左右方向にわたって延びる配線ダクト２５ａを有しており、この配線ダクト２５ａと接続するように、鉛直方向に延びる中空のワイヤリングポスト２６が設置されている。例えば、ワイヤリングポスト２６は、天井パネル１８（図１参照）まで届く高さを有しており、ワイヤリングポスト２６の上端は、天井パネル１８にネジ止め、あるいはケーブル引き下ろし孔１９内に嵌め込まれる。この場合、ケーブル引き下ろし孔１９は、ワイヤリングポスト２６に対応した位置に形成されている。また、ワイヤリングポスト２６の高さを天井パネル１８の位置より低くし、ワイヤリングポスト２６と天井パネル１８とを固定しなくてもよい。この場合、天井パネル１８とワイヤリングポスト２６との間からケーブル２０が露出するが、ケーブル２０の長さに余裕を持たせておけば、ワイヤリングポスト２６を通してケーブル２０を配線した後でも、デスク２５をケーブル２０の長さの余裕分の範囲で自由に移動させることができる。
【００３０】
ケーブル引き下ろし孔１９を通して引き下ろされたケーブル２０は、ワイヤリングポスト２６の中を通ってデスク２５へ導かれ、配線ダクト２５ａから、デスク２５上に設置された情報処理端末、プリンタ、パーソナルコンピュータなどの機器に接続される。
【００３１】
このように、ワイヤリングポスト２６を通してケーブル２０の配線を行うことにより、ケーブル２０の露出を最小限に抑えることができる。その結果、ケーブル２０を保護することができるとともに、室内空間内の美観を向上させることができる。
【００３２】
ワイヤリングポスト２６は、デスク２５と一体のものであってもよいし、デスク２５とは別に設置されてもよい。ワイヤリングポスト２６をデスク２５と一体とすれば、両者のデザインも統合することができ、好ましい。また、複数のデスクを並べる場合は、隣のデスクへは配線ダクト２５ａを通じてケーブル２０を配線することができる。したがって、複数のデスクで構成する島には、１本のワイヤリングポスト２６で配線することができ、デスクごとにワイヤリングポスト２６を設置する必要はない。
【００３３】
上述した配線構造において、レイアウト変更によってケーブル２０の引き下ろし位置が変更される場合には、図４に示すように、新たにケーブル２０が引き下ろされる位置に設置されている天井パネル１８に対して新たにケーブル引き下ろし孔１９’を形成するか、または、新たにケーブル２０が引き下ろされる位置に設置されている天井パネル１８を、所望の位置にケーブル引き下ろし孔１９’が形成されたものと交換し、新たなケーブル引き下ろし孔１９’からケーブル２０を引き下ろす。一方、レイアウト変更前に利用していたケーブル引き下ろし孔１９は差し障りがなければそのままでもよいが、図５に断面で示すように、ケーブル引き下ろし孔１９を下面からキャップ２１で塞いでもよい。または、ケーブル引き下ろし孔が形成されていない天井パネルと交換することもできる。このように、本実施形態によれば、新築時に限らず、その後のレイアウト変更にも柔軟に対応することができる。
【００３４】
また、レイアウト変更に際しても、ケーブル２０の配線状況の確認は、前述したのと同様に、各天井パネル１８のうち任意の一枚を取り外し、それによって天井面に形成された開口部から、スラブ下空間１０（図１）を覗き込むことで容易に行うことができる。
【００３５】
レイアウト変更への対応をより簡易に行えるようにするために、天井パネル１８は、孔あけ加工を現場で容易に行える材料で構成することが望ましい。そのような材料からなるパネルの代表的な例として、岩綿吸音板、ケイ酸カルシウム板、繊維強化石膏ボード板などが挙げられる。岩綿吸音板は、難燃性および遮音性に優れており、建物の内装材として広く用いられている。岩綿吸音板を天井パネル１８に用いることにより、ケーブル引き下ろし孔１９を現場でのカッター作業により容易に形成することができる。
【００３６】
ところで、ケーブル引き下ろし孔１９からのケーブル２０の引き下ろし作業時や施工後にケーブル２０を不用意に引っ張るなどして、ケーブル引き下ろし孔１９の周囲とケーブル２０が擦れると、天井パネル１８のケーブル引き下ろし孔１９の周囲の部分あるいはケーブル２０が損傷する場合がある。特に、天井パネル１８を岩綿吸音板で構成した場合は、ケーブル２０が擦れると、その部分が破砕され、破砕片となって落下してしまうおそれがある。
【００３７】
そこで、このような不具合を防止するために、図６に示すように、天井パネル１８のケーブル引き下ろし孔１９が形成された部分に保護部材３１を設け、天井パネル１８とケーブル２０とが直接接触しない構造とすることが好ましい。
【００３８】
図６に示す保護部材３１は、両端にそれぞれフランジ部３１ａ，３１ｂが一体に設けられた、円錐台形状の筒状の部材であり、ケーブル引き下ろし孔１９内に挿入されて使用される。一方のフランジ部３１ａは、その外径がケーブル引き下ろし孔１９の内径より大きく、他方のフランジ部３１ｂは、その外径がケーブル引き下ろし孔１９の内径より小さい。保護部材３１は、外径の小さいフランジ部３１ｂからケーブル引き下ろし孔１９に挿入される。ケーブル引き下ろし孔１９に保護部材３１が挿入された状態では、両フランジ部３１ａ，３１ｂは天井パネル１８から突出しており、フランジ部３１ｂと天井パネル１８との隙間に留めリング３２が装着される。
【００３９】
留めリング３２は、内径が保護部材３１のフランジ部３１ｂの外径より小さく、かつ、外径がケーブル引き下ろし孔１９の内径より小さい。さらに、図７に示すように、留めリング３２には、その直径方向に延びるスリット３２ａが外周縁から内周縁にわたって形成されている。留めリング３２は、プラスチック材料からなり、スリット３２ａを開いて保護部材３１に嵌め込まれて装着される。このようにして留めリング３２を装着することで、保護部材３１は天井パネル１８のケーブル引き下ろし孔１９が形成された部分に保持される。また、保持された保護部材３１は、この逆の手順で天井パネル１８から取り外すことができる。
【００４０】
このように、保護部材３１を設けることで、ケーブル２０が天井パネル１８のケーブル引き下ろし孔１９の周辺部と直接接触しなくなるので、ケーブル２０が擦れたとしても天井パネル１８の損傷が防止される。さらに、保護部材３１の、ケーブル２０が接触する部分はエッジ部が存在しないように曲面で構成されており、これによって、ケーブル２０の損傷も防止される。
【００４１】
図８に、保護部材の他の例を示す。図８に示す保護部材３３は、円筒部３３ａと、円筒部３３ａの一端に一体に設けられたフランジ部３３ｂとを有する。円筒部３３ａは、その外径がケーブル引き下ろし孔１９の内径より小さく、フランジ部３３ｂは、その外径がケーブル引き下ろし孔１９の内径より大きい。この保護部材３３は、天井パネル１８の上方から円筒部３３ａをケーブル引き下ろし孔１９に挿入することで装着される。この保護部材３３によれば、より簡単な構成で天井パネル１８およびケーブル２０を保護することができる。
【００４２】
図６〜図８では、ケーブル引き下ろし孔１９内に装着されることでケーブル２０がケーブル引き下ろし孔１９の周囲の部分に直接接触することを防止する手段を示したが、ケーブル２０をガイドすることによってケーブル２０がケーブル引き下ろし孔１９の周囲の部分に接触しないような構成とすることもできる。
【００４３】
その一例を図９に示す。図９に示す例では、天井パネル１８の上方の、ケーブル引き下ろし孔１９に対応する位置に、ロッド状のガイドバー３５を配設し、このガイドバー３５にケーブル２０を掛けることによって、ケーブル２０がケーブル引き下ろし孔１９の周囲の部分に接触しないようにしている。前述したように、ケーブル２０は、支線ケーブルラック１３ｂ（図１および２参照）からケーブル引き下ろし孔１９に向かって引き出されているので、ケーブル２０を掛け易くするためには、ガイドバー３５は、ケーブル引き下ろし孔１９へのケーブル２０の引き出し方向と直交する方向に沿って配設することが好ましい。また、ガイドバー３５は、天井パネル１８よりも上方に位置する構造部分、例えば天井下地材１２、幹線ケーブルラック１３ａ、支線ケーブルラック１３ｂ、Ｔバー１７（図１参照）に支持することができるが、レイアウト変更に際してガイドバー３５の設置位置も変更される場合もあるので、ガイドバー３５はこれらの構造部分に着脱自在に支持される。
【００４４】
本実施形態では、図１等にも示したように、複数枚の天井パネル１８のうちの１枚に１つのケーブル引き下ろし孔１９を形成してケーブル２０を引き下ろした場合で説明したが、ケーブル引き下ろし孔１９を形成する天井パネル１８の数、および天井パネル１８に形成するケーブル引き下ろし孔１９の数は、室内空間内に設置される機器の数やレイアウト等に応じて任意とすることができる。
【００４５】
ケーブル２０としては、電力供給用ケーブルや通信用ケーブルなどが挙げられ、その用途や種類に応じて接続される機器も異なる場合がある。そこで、幹線ケーブルラック１３ａおよび支線ケーブルラック１３ｂにはケーブル２０の用途や種類ごとに分けてケーブル２０を引き回し、それに合せて、ケーブル２０の用途や種類に対応して天井パネル１８にケーブル引き下ろし孔１９を形成し、ケーブル２０の配線をその用途や種類ごとに分けることが好ましい。これにより、ケーブル２０の配線状況の管理、およびレイアウト変更の際のケーブル２０の配線の変更をより容易に行うことができる。
【００４６】
上述した実施形態では、ケーブル２０を引き下ろす位置に応じて天井パネル１８にケーブル引き下ろし孔１９を形成する場合で説明したが、全ての天井パネル１８に対して予めケーブル引き下ろし孔１９を形成しておき、必要なケーブル引き下ろし孔１９のみからケーブル２０を引き下ろすようにしてもよい。
【００４７】
図１０に、この場合に用いられる天井パネルの一例を示す。図１０に示す天井パネル５８には、複数のケーブル引き下ろし孔５９が行列状に配列されて形成されている。そして、これらのケーブル引き下ろし孔５９のうち、必要なケーブル引き下ろし孔５９からケーブルが引き下ろされる。
【００４８】
使用されないケーブル引き下ろし孔５９は、例えば図５に示したようなキャップ２１を被せて塞いでもよい。または、全てのケーブル引き下ろし孔５９に対して予めキャップ２１を被せておき、ケーブルの引き下ろしに用いるケーブル引き下ろし孔５９についてキャップ２１を取り外すといった使用方法も可能である。
【００４９】
このように、ケーブル引き下ろし孔５９が予め形成された天井パネル５８を用いることで、現場での孔あけ加工も不要となるので、天井パネル５８の材料として現場での加工性を考慮する必要はなくなる。したがって、天井パネル５８には、前述した岩綿吸音板などの他に、一般の天井材として用いられる天井ボード、あるいは金属パネル（例えばアルミ製パネル）などを用いることができ、天井パネル５８の材料の選択の幅が広がる。なお、ケーブル引き下ろし孔５９が予め形成された天井パネル５８を用いた場合、ケーブル引き下ろし孔５９の位置が所望の位置と一致しないことがあるが、ケーブル引き下ろし孔５９を数十ｃｍ程度の配列ピッチで形成しておけば、実使用上は、ケーブルが接続される機器等のレイアウト上の制限は殆どない。
【００５０】
また、使用しないケーブル引き下ろし孔５９についてはキャップで塞ぐのが好ましいことは前述したとおりであるが、ケーブル引き下ろし孔５９を塞ぐことができるものであれば、天井パネル５８の下方から見たキャップの形状、すなわちケーブル引き下ろし孔５９を塞ぐ部分の平面形状は、デザイン性を考慮して種々の形状とすることができる。その幾つかの例を図１１に示す。図１１（ａ）〜（ｄ）には、それぞれ円形のキャップ６２ａ、三角形のキャップ６２ｂ、四角形のキャップ６２ｃ、および星型のキャップ６２ｄが示されている。もちろん、これらのキャップ６２ａ〜６２ｄは、例えば図１０に示したような横断面が円形のケーブル引き下ろし孔５９に対して着脱自在に構成され、また、図１に示したケーブル引き下ろし孔１９に対しても適用可能である。これらのキャップ６２ａ〜６２ｄは、同じ形状のもので統一して用いてもよいし、適宜組み合わせて用いてもよい。このように種々の形状のキャップを用意することで、ケーブル引き下ろし孔５９の横断面形状に拘らず、デザイン上の変化に富んだ天井面を構成することができる。
【００５１】
【発明の効果】
以上説明したように本発明によれば、天井パネルにケーブル引き下ろし孔を形成し、天井側を引き回されたケーブルをここから引き下ろすことで、ケーブル収納部材によるケーブルの引き回し経路に拘らず、所望の位置からケーブルを引き下ろすことができる。しかも、ケーブル収納部材に起因する煩雑な雰囲気は天井パネルによって隠されるので、本発明は、オフィスに適用することにより著しい効果を発揮する。さらに、天井パネルは架け替え可能に設けられているので、ケーブル収納部材でのケーブルの引き回し状況は、任意の天井パネルを取り外して容易に確認することができる。
【図面の簡単な説明】
【図１】本発明の一実施形態による天井配線構造の部分断面斜視図である。
【図２】図１に示す天井配線構造の、天井側のスラブから見た平面図である。
【図３】天井側から引き下ろされたケーブルを配線するためのワイヤリングポストを備えたデスクの一例の斜視図である。
【図４】図１に示す天井配線構造において、ケーブルの引き下ろし位置を変更した場合の一例を示す図である。
【図５】ケーブル引き下ろし孔をキャップで塞いだ断面図である。
【図６】ケーブル引き下ろし孔に保護部材を装着した、天井パネルの断面図である。
【図７】図６に示す保護部材を天井パネルに保持する留めリングの平面図である。
【図８】ケーブル引き下ろし孔に装着される保護部材の他の例を示す断面図である。
【図９】ケーブル引き下ろし孔へのケーブルの導入をガイドバーでガイドする例を示す図である。
【図１０】本発明に適用可能な天井パネルの他の例の平面図である。
【図１１】天井パネルに形成されたケーブル引き下ろし孔を塞ぐキャップの幾つかの例の、下面図である。
【符号の説明】
１０    スラブ下空間
１１    スラブ
１２    天井下地材
１３ａ    幹線ケーブルラック
１３ｂ    支線ケーブルラック
１４ａ、１４ｂ、１４ｃ    支持ロッド
１５    グリップ
１６    設備プレート
１６ａ    照明器具
１６ｂ    吹き出し口
１７    Ｔバー
１７ａ    水平延長部
１８，５８    天井パネル
１９，５９    ケーブル引き下ろし孔
２０    ケーブル
２１，６１ａ，６１ｂ，６１ｃ，６１ｄ    キャップ
２５    デスク
２５ａ    配線ダクト
２６    ワイヤリングポスト
３１，３３    保護部材
３１ａ，３１ｂ，３３ｂ    フランジ部
３２    留めリング
３２ａ    スリット
３３ａ    円筒部
３５    ガイドバー
【図１】
2004229475.tif 000003
【図２】
2004229475.tif 000004
【図３】
2004229475.tif 000005
【図４】
2004229475.tif 000006
【図５】
2004229475.tif 000007
【図６】
2004229475.tif 000008
【図７】
2004229475.tif 000009
【図８】
2004229475.tif 000010
【図９】
2004229475.tif 000011
【図１０】
2004229475.tif 000012
【図１１】
2004229475.tif 000013